(57)【特許請求の範囲】
【請求項１】
廃棄物処分場において、廃棄物層を被覆するとともに雨水を集排水可能にする被覆材であって、前記被覆材は、
廃棄物層上に設置される礫からなる礫層と、
前記礫層上に設置される平均粒径０．２ｍｍ〜０．３５ｍｍの範囲内の砂からなる砂層と、
前記礫層と前記砂層との間に敷設される不織布とを含み、
前記砂は、１５質量％の砂が通過するふるいの目の大きさから得られる砂の粒径（Ｄ１５）と８５質量％の砂が通過するふるいの目の大きさから得られる砂の粒径（Ｄ８５）との比が、１：１〜１：３の範囲内であり、
前記被覆材は、前記礫層の上面に、１％〜５％の範囲の勾配を備えることを特徴とする、被覆材。
【請求項２】
前記砂が、平均粒径０．２５ｍｍ〜０．３ｍｍの範囲内であることを特徴とする、請求項１に記載の被覆材。
【請求項３】
前記礫が、粒径２．５ｍｍ〜５ｍｍの範囲内のものである、請求項１または２に記載の被覆材。
【請求項４】
廃棄物処分場の廃棄物が投棄される遮水構造内に降雨した雨水を集排水するための集排水システムであって、
廃棄物層上に設置される礫からなり、上面に勾配が設けられた礫層と、前記礫層上に設置される平均粒径０．２ｍｍ〜０．３５ｍｍの範囲内の砂からなる砂層と、前記礫層と前記砂層との間に敷設される不織布とを含み、前記廃棄物層を被覆する被覆材と、
前記礫層の上面の最低部から下方に延び、前記遮水構造外へと排水するための排水管とを含み、
前記砂は、１５質量％の砂が通過するふるいの目の大きさから得られる砂の粒径（Ｄ１５）と８５質量％の砂が通過するふるいの目の大きさから得られる砂の粒径（Ｄ８５）との比が、１：１〜１：３の範囲内であり、前記勾配が、１％〜５％の範囲の勾配であることを特徴とする、集排水システム。
【請求項５】
前記砂が、平均粒径０．２５ｍｍ〜０．３ｍｍの範囲内であることを特徴とする、請求項４に記載の集排水システム。
【請求項６】
前記礫が、粒径２．５ｍｍ〜５ｍｍの範囲内のものである、請求項４または５に記載の集排水システム。
【発明の詳細な説明】
【技術分野】
【０００１】
本発明は、埋め立て廃棄物を安定化するための最終被覆に用いられ、遮水機能に優れる被覆材および該被覆材を用いて雨水を集排水するシステムに関する。
【背景技術】
【０００２】
廃棄物の最終処分場は、地盤の凹所や掘削して形成された凹所に、コンクリートを打設したり、難透水性の粘土層や遮水シートを敷設する等による遮水構造を設け、その上に、保護土や保護砂を設置した後、廃棄物が投棄される。このように、遮水構造物を設けることによって廃棄物を地盤から隔離することで、廃棄物に接触して汚染された雨水が地盤に浸透するのを防止することができる。処分場への廃棄物の搬入が完了した後、投棄された廃棄物の表面は、シート等の被覆材によって最終的に被覆される。これは、ごみの飛散や流出、悪臭の飛散、害虫の発生、火災の発生、延焼等を防止し、景観を良くするための対策として行われている。
【０００３】
近年、廃棄物層へ多少の水を浸透させることにより、廃棄物を水に接触させて有害物質の洗い出しや分解を促進し、廃棄物の安全および安定を促進する点、また、廃棄物層内の浸出水が抑制されるため、水処理設備の負担が軽減できる点、さらに、砂と礫の土質材料を利用するため、経済的、かつ耐久性に優れている点で、キャピラリーバリアを構成する被覆方法が使用されるようになっている（例えば、特許文献１および非特許文献１参照）。
【０００４】
ここで、キャピラリーバリアについて説明する。一般に、土層内に浸透した水は、毛管力の大きい方へと移動する性質を有する。この毛管力は、土粒子が大きいほど、空隙が大きくなって働きにくくなり、反対に、土粒子が小さいほど大きくなる。土粒子の小さい土層では、大きい毛管力が働くため、水が連続した状態を形成することとなり、水を連続的に浸透させる。毛管力が大きい、粒子の小さい砂からなる砂層と、毛管力が小さい、粒子の大きい礫からなる礫層とを二層に形成した場合、毛管力の大きい砂層には浸透水が広がるものの、毛管力の小さい礫層へは浸透しにくく、その結果、礫層がバリアの役割を果たすこととなる。キャピラリーバリアは、毛管力の小さい礫層上に、毛管力の大きい砂層を形成し、勾配を付すことにより、上部からの浸透水を側方に排水するシステムで、下方への浸透水を抑止するものである。ここで、砂は、一般に、粒径が０．０７５ｍｍ〜２ｍｍのものをいい、礫は、粒径が、２ｍｍ〜７５ｍｍのものをいう。なお、砂および礫は、針金を正方形の網目に織った網ふるい等を用いることで、上記範囲の粒径に分級することができる。
【０００５】
このキャピラリーバリアを廃棄物処分場に適用する場合、廃棄物層上に、礫層、続いて砂層を形成することにより、廃棄物層を被覆するキャピラリーバリアを構成することができる。キャピラリーバリアを構成した廃棄物処分場では、降雨があった場合、雨水は、砂層を浸透して、砂層内および礫層上を流れ、付された勾配に沿って排水される。このため、礫層下の廃棄物層への雨水の浸透を抑制することができる。なお、キャピラリーバリアは、わずかな雨水を、礫層を通して廃棄物層へと浸透させ、上述したように廃棄物に接触させて、有害物質の洗い出しや分解を促進させる。
【０００６】
しかしながら、このキャピラリーバリアを構成した被覆方法は、経験的な手法により、材料の選定や設計が行われており、理論的に明確でないところがあった。実際の施工において、現場周辺の土質材料を使用することを検討してみたものの、キャピラリーバリアの効果が小さく、最終的に、過去の使用実績のある特定の土質材料を選定したという経緯があり、有限であるその特定の土質材料の選定のみでは、安定的に提供することができず、また、施工現場の位置によっては遠方から運搬することになるため、運搬コスト等がかかるといった問題があった。したがって、経験的な手法による選定ではなく、キャピラリーバリアの効果が大きい材料の特性を明らかにし、その材料を、分級するなどして、施工現場近隣で調達できるようにすることが望まれている。
【特許文献１】特開２００３−１２１３号公報
【非特許文献１】坂上  義次郎、「キャピラリーバリア型覆土の効果を公表」、［online］、２００３年５月、日本国土開発株式会社、［平成１７年５月１０日検索］、インターネット＜URL:http://www.n-kokudo.co.jp/pressrelease/index.html＞
【発明の開示】
【発明が解決しようとする課題】
【０００７】
本発明は、上記問題に鑑み、遮水機能に優れるキャピラリーバリアに適する被覆材および該被覆材を用いて雨水を集排水する集排水システムを提供することを目的とする。
【課題を解決するための手段】
【０００８】
上記課題は、本発明の埋め立て廃棄物を安定化するための最終被覆に用いられ、遮水機能に優れる被覆材および該被覆材を用いて雨水を集排水する集排水システムを提供することにより達成される。
【０００９】
すなわち、本発明の請求項１の発明によれば、廃棄物処分場において、廃棄物層を被覆するとともに降雨した雨水を集排水可能にする被覆材であって、前記被覆材は、廃棄物層上に設置される礫からなる礫層と、前記礫層上に設置される平均粒径０．２ｍｍ〜０．３５ｍｍの範囲内の砂からなる砂層とを含み、前記砂は、１５質量％の砂が通過するふるいの目の大きさから得られる砂の粒径（Ｄ１５）と８５質量％の砂が通過するふるいの目の大きさから得られる砂の粒径（Ｄ８５）との比が、１：１〜１：３の範囲内であることを特徴とする、被覆材が提供される。
【００１０】
本発明の請求項２の発明によれば、前記砂が、平均粒径０．２５ｍｍ〜０．３ｍｍの範囲内であることを特徴とする被覆材が提供される。
【００１１】
本発明の請求項３の発明によれば、前記礫が、粒径２．５ｍｍ〜５ｍｍの範囲内のものである被覆材が提供される。
【００１２】
本発明の請求項４の発明によれば、前記礫層と、前記砂層との間に、不織布を含む、被覆材が提供される。
【００１３】
本発明の請求項５の発明によれば、前記被覆材は、前記礫層の上面に、１％〜５％の範囲の勾配を備えることを特徴とする被覆材が提供される。
【００１４】
本発明の請求項６の発明によれば、廃棄物処分場の廃棄物が投棄される遮水構造内に降雨した雨水を集排水するための集排水システムであって、
廃棄物層上に設置される礫からなり、上面に勾配が設けられた礫層と、前記礫層上に設置される平均粒径０．２ｍｍ〜０．３５ｍｍの範囲内の砂からなる砂層とを含み、前記廃棄物層を被覆する被覆材と、
前記礫層上面の最低部から下方に延び、前記遮水構造外へと排水するための排水管とを含み、
前記砂は、１５質量％の砂が通過するふるいの目の大きさから得られる砂の粒径（Ｄ１５）と８５質量％の砂が通過するふるいの目の大きさから得られる砂の粒径（Ｄ８５）との比が、１：１〜１：３の範囲内であることを特徴とする、集排水システムが提供される。
【００１５】
本発明の請求項７の発明によれば、前記砂が、平均粒径０．２５ｍｍ〜０．３ｍｍの範囲内であることを特徴とする集排水システムが提供される。
【００１６】
本発明の請求項８の発明によれば、前記礫が、粒径２．５ｍｍ〜５ｍｍの範囲内のものである集排水システムが提供される。
【００１７】
本発明の請求項９の発明によれば、前記礫層と、前記砂層との間に、不織布を含む、集排水システムが提供される。
【００１８】
本発明の請求項１０の発明によれば、前記勾配は、１％〜５％の範囲の勾配である集排水システムが提供される。
【発明の効果】
【００１９】
本発明の被覆材を提供することにより、過去の使用実績がある特定地域の土質材料を使用する必要がなく、施工現場周辺の土質材料の粒度等を調整することで使用することができるため、運搬コストが不要となり、安価で提供可能になる。また、材料選定の際の検討および試験を行う手間および時間を削減することができ、施工期間を短縮することができる。本発明の集排水システムを提供することにより、廃棄物層へ多少の水を浸透させて、廃棄物の安全および安定を促進することができ、廃棄物層に浸透する水量を抑制できるため、水処理設備の負担を軽減できるとともに、充分な排水量を確保することができ、安価で提供することができる。
【発明を実施するための最良の形態】
【００２０】
本発明を、図面を参照して詳細に説明するが、図面に示された実施の形態に限定されるものではない。図１は、処分場に本発明の被覆材を設置したところを示した図である。図１に示す処分場は、傾斜面１に投棄された廃棄物が、傾斜面１の傾斜に沿って滑り落ちないように土留め壁２等が構築され、傾斜面１と土留め壁２とから形成されている。廃棄物は、処分場において廃棄物層３を形成し、その廃棄物層３上に、被覆材４が設置され、廃棄物層３を被覆している。被覆材４は、粗粒土として用いられる礫からなる礫層４ａと、細粒土として用いられる砂からなる砂層４ｂとの二層から構成され、廃棄物層３上に礫層４ａが、その上に砂層４ｂが所定高さになるように形成される。図１に示すように、礫層４ａ、砂層４ｂのいずれもが勾配を有するように各材料が設置される。
【００２１】
本発明の被覆材４は、廃棄物層３上に設置される所定の粒径を有する礫からなる礫層４ａと、所定の粒径を有する砂からなる砂層４ｂとを含んで構成される。本発明の被覆材４は、遮水機能に優れた材料であり、降雨した雨水が廃棄物層３に浸透するのを抑制する。廃棄物の安全および安定のために少量の水のみが廃棄物層３に浸透し、その他の大部分の水は、毛管力が大きく、容易に浸透する砂層４ｂを通して、また、毛管力が小さく、浸透しにくい礫層４ａ上を、勾配に沿って排水される。
【００２２】
以下に、本発明の被覆材について詳述する。本発明の被覆材４は、施工場所周辺の土を粒度調整することにより提供することができる。粒度調整は、上述した網ふるい等を使用して行うことができる。キャピラリーバリアを構成するのに適した材料としては、経済的かつ耐久性に優れる砂および礫が好ましく、特に、所定範囲の平均粒径を有し、かつ所定範囲の粒度分布を有する砂を用いることで、キャピラリーバリア効果を向上させることができることを見出した。本発明では、礫層４ａを構成する礫は、粒径２ｍｍ〜７５ｍｍの範囲内のものを用いることができるが、粒径７５ｍｍを超えるものであってもよい。礫としては、例えば、クラッシャーなどによって岩などを砕いて分級した砕石を使用することができる。本発明では、粒度が細かく規定された範囲内でふるい分けされた単粒度砕石が好ましい。これは、礫層４ａを形成した場合に、礫と礫との間隙がほぼ均一になり、水が通り抜けやすい箇所や通り抜けにくい箇所を形成されにくくするためである。例えば、ＪＩＳ規格で規定された５号砕石、６号砕石、７号砕石等を使用することができる。ここで、５号砕石とは、粒径が１３ｍｍ〜２０ｍｍの範囲内の砕石からなるものをいい、６号砕石とは、粒径が５ｍｍ〜１３ｍｍの範囲内の砕石からなるものをいい、７号砕石とは、粒径が２．５ｍｍ〜５ｍｍの範囲内の砕石からなるものをいう。
【００２３】
砂は、一般に、粒径が０．０７５ｍｍ〜２ｍｍの範囲内のものをいうが、本発明では、平均粒径が約０．２ｍｍ〜約０．３５ｍｍの範囲内のもので、かつ、１５質量％の砂が通過するふるいの目の大きさから得られる砂の粒径（Ｄ１５）と、８５質量％の砂が通過するふるいの目の大きさから得られる砂の粒径（Ｄ８５）との比が、１：１〜１：３の範囲内のものとされる。本発明では、Ｄ１５とＤ８５との比が１：１に近づくほど好ましい。これは、砂の粒度分布の範囲が小さいことを意味し、ほぼ均一の粒径であることを意味する。また、本発明では、特に、平均粒径が約０．２５ｍｍ〜約０．３ｍｍの範囲内であることが好ましい。この範囲内にすることで、高い排水能力を付与することができる。
【００２４】
被覆材４は、ごみの飛散や流出、悪臭の発散、害虫の発生、火災の発生、延焼を防止できる高さとすることができ、一般に、廃棄物層３上に０．３ｍ〜１ｍの高さで設置することができる。本発明では、礫層４ａを高さ０．１ｍ〜０．４ｍ、砂層４ｂを０．２ｍ〜０．６ｍとすることができる。
【００２５】
礫層４ａの上面の勾配は、その上に設置される砂層４ｂが滑りを生じず、かつ水を適切に排水できる約１％〜約５％とすることができる。本発明では、約３％が好ましい。
【００２６】
本発明では、礫と礫との間の間隙に、礫層４ａに隣接する砂層４ｂの砂が入り込み、間隙を小さくして毛管力を大きくし、礫層４ａに水が浸透するのを防止するため、礫層４ａと砂層４ｂとの間に、不織布を敷設することが好ましい。不織布は、礫層４ａに砂が入り込むのを防止することができればいかなる厚さであってもよく、例えば、約０．０５ｍｍの厚さのものを使用することができる。なお、礫層４ａに砂が入り込むのを防止できれば不織布に限られるものではなく、いかなる部材でも用いることができる。
【００２７】
図１では、廃棄物が投棄された傾斜面１に処分場を構築した場合について説明したが、本発明の被覆材は、傾斜面に土留め壁を構築した後、廃棄物を投棄し、その上に設置しても良い。また、土留め壁を構築せず、本発明の被覆材で、廃棄物層の表面全体を被覆してもよい。さらに、地下への浸透が懸念されるような場所では、遮水シートを敷設したり、別途、周囲に連続地中壁を岩盤まで施工し、外部への汚染の拡散を防止することもできる。
【００２８】
図２は、最終処分場に本発明の集排水システムを設置したところを示した図である。最終処分場は、地盤の凹所や、地盤を掘削することにより形成された凹所に、遮水シート１０を敷設すること等により遮水構造を構築し、遮水シート１０が破損しないように保護するための保護土１１を設置した後、ごみなどの廃棄物が投棄される。投棄された廃棄物は、廃棄物層１２を形成し、その廃棄物層１２の上に、最終被覆としての砂や礫などから構成される被覆材１３が設置される。被覆材１３は、上述したように、礫からなる礫層１３ａと、砂からなる砂層１３ｂとの二層から構成され、廃棄物層１２上に礫層１３ａが、その上に砂層１３ｂが所定高さになるように形成される。なお、図２に示す実施形態では、礫層１３ａ中に砂層１３ｂの砂が入り込まないように、礫層１３ａと砂層１３ｂとの間に不織布１３ｃが設けられている。礫層１３ａの上面には勾配１４が設けられており、その上面の高度が最も低くなる最低部１５に、排水管１６が設けられている。排水管１６は、その最低部１５から下方へと延び、礫層１３ａ内を通り、法面１７に敷設された遮水シート１０などを貫通して遮水構造の外部へと延びている。排水管１６を流れる雨水は、廃棄物に接触しておらず、有害物質を含まない水であるため、河川にそのまま放水することができる。最終処分場では、そのほか、廃棄物層１２へと浸透し、廃棄物に接触し、有害物質を含んだ汚染水を排水するための図示しない排水管と、その排水管を接続し、汚染水を浄化するための図示しない水処理設備も備えている。
【００２９】
本発明の集排水システムは、被覆材１３と、排水管１６とを含んで構成される。本発明の集排水システムは、礫層１３ａの上面に勾配を設けて集排水可能にし、その最も低い位置に接続される排水管１６を通して排水する。なお、排水管１６は、腐蝕しないように、コンクリート、あるいは、ポリエチレン、ポリ塩化ビニル、ポリプロピレン、ポリブテンなどのプラスチックから作製することができる。排水管１６は、図２に示す実施形態のように、礫層１３ａ内のみに限らず、廃棄物層１２あるいは保護土１１にまで下方に延び、そこから法面方向の遮水シート１０などを貫通するように延びていてもよい。
【００３０】
また、図２に示す排水管１６に向けて流れるように、礫層１３ａの上面に勾配が設けられる。礫層１３ａの上面の勾配は、その上に設置される砂層１３ｂが滑りを生じず、かつ水を排水管１６に向けて適切に流すことができる約１％〜約５％とすることができ、約３％が好ましい。本発明の集排水システムは、被覆材１３を含んで構成されるため、高い排水能力を有する。
【００３１】
ここに、数種類の土質材料を用いて、容器下側に礫、上側に砂を充填し、二層からなる被覆材を作り、給水して、物理特性と排水性との関係を調べる試験を行った結果を示す。まず、図３に、試験に使用した装置を示す。図３に示す装置２０は、底に、複数の排水部２１と、第１収納部２２と第２収納部２３とを形成する分離板２４とを備える容器２５と、第１収納部２２内に充填される礫からなる礫層２６と、第２収納部２３内および礫層２６上に充填される砂からなる砂層２７と、砂層２７に向けて給水するための給水口２８とから構成されている。容器２５は、幅１．２ｍ、奥行き０．１ｍ、高さ０．６ｍのものを用い、第１収納部２２が、幅約１．１ｍ、奥行き０．１ｍ、高さ０．２ｍ、第２収納部２３が、幅約０．１ｍ、奥行き０．１ｍ、高さ０．２ｍとなるように分離板２４を設け、第１収納部２２の容器底に一定間隔で排水部２１ａを設け、また、第２の収容部２３の容器底にも排水部２１ｂを設けた。排水部２１は、充填した礫や砂が排出されないように、不織布などを敷設して開口を閉鎖した。礫を、第１収納部２２内に、分離板２４と同じ０．２ｍの高さまで充填し、砂を、第２収納部２３内および礫層２６上に、容器２５の高さで０．５ｍまで充填した。また、この容器２５を傾斜させ、３％の勾配を設けた。礫として７号砕石を使用し、礫層２６および砂層２７の締め固めは、一定の力にて行い、砂層２７と礫層２６との間には、厚さ０．０５ｍｍの不織布を敷設し、砂が礫層２６の間隙に入り込まないようにした。なお、給水口２８は、第２収納部２３から離間した位置に配置され、容器２５は、給水口２８側が上に、第２収納部２３側が下になるように傾斜させた。
【００３２】
この試験では、図３に示す給水口２８から供給する給水の量を変えて、砂層２７および礫層２６から排水される排水量を調べた。すなわち、礫層２６を通して礫層２６下の排水部２１ａから排水される水の量、第２収納部２３に充填された砂層２７を通して砂層２７下の排水部２１ｂから排水される水の量を調べた。また、各層内に、ＴＤＲ（Time Domain Reflectometry）式土壌水分計を設置し、各層内の含水率の変化を調べた。
【００３３】
以下に、試験条件を示す。砂には、珪砂および一般の砂を用い、それらの混合比を変えて、多種の粒度分布に調製した。給水量は、毎時０．２リットル、０．４リットル、０．６リットル、０．８リットル、１リットル、１．２リットル、１．５リットル、２リットルにして行った。図４は、試験に用いるために調製した砂Ａ、Ｂ、Ｃ、Ｄ、Ｅ、Ｆ、Ｇ、Ｈ、Ｉの粒度分布を示す。縦軸には、各サイズのふるいの目を通過する各砂の質量百分率（％）を示し、横軸には、そのサイズのふるいの目を通過する最大の砂の粒径（ｍｍ）を示す。この最大の砂の粒径は、その最大粒径を有する砂が通過可能な最も小さいふるいの目のサイズに一致するものと見なすことができる。図４では、紙面に対して左側から、砂Ａ（×で表す。）、Ｂ（●で表す。）、Ｃ（◆で表す。）、Ｄ（■で表す。）、Ｅ（−で表す。）、Ｆ（▲で表す。）、Ｇ（＋で表す。）、Ｈ（×で表す。）、Ｉ（−で表す。）の順に傾きが緩やかになっており、粒度分布が存在することを示している。すなわち、粒径分布の幅が小さいものほど、砂の粒が均一であることを示し、図４では、砂Ａが最も均一である。
【００３４】
図５は、図４に示した各砂の水分特性を示した図である。図５の縦軸は、砂中の水のポテンシャル（ｋＰａ）を示し、横軸は、含水率（％）を示す。なお、図５には、各砂Ａ、Ｂ、Ｃ、Ｄ、Ｅ、Ｆ、Ｇ、Ｈ、Ｉと同時に、礫として使用する７号砕石の結果も示す。図５に示すように、７号砕石は、間隙が大きく水分を保持する力がないため、水のポテンシャルが著しく小さくなっている。各砂は、図５に示すように、７号砕石に比較して高い水分保持力を有し、粒径分布の幅が小さい砂Ａ、Ｂ、Ｃ、Ｄ、Ｅ、Ｆのほうが、粒径分布の幅が比較的大きい砂Ｇ、Ｈ、Ｉより高い水分保持力を有していることが見出された。
【００３５】
図６は、平均粒径と飽和毛管高さとの関係を示した図である。飽和毛管高さは、砂中に水分が飽和した際の粒子間を上昇する水の高さを示すものである。すなわち、高さが高いほど毛管力が大きいことを示す。図６の縦軸は、飽和毛管高さ（ｃｍ）を示し、横軸は、平均粒径（ｍｍ）を示す。平均粒径は、図４に示す通過質量百分率で５０％となる各砂の粒径である。図６に示すように、平均粒径が小さいほど、飽和毛管高さが大きく、平均粒径が大きくなるほど、その高さが小さくなった。その結果、平均粒径が小さいものほど毛管力が大きく、平均粒径が大きくなるほど毛管力が小さくなることが見出された。
【００３６】
図７は、排水量と給水量との関係を示した図である。図７の縦軸は、１時間あたりの排水量（Ｌ／ｈ）を示し、横軸は、１時間あたりの給水量（Ｌ／ｈ）を示す。Ｌは、リットルを表す。図７に破線で示される給水量と排水量とが１：１の直線は、その砂に給水した全ての水が砂層から排水されることを示している。破線から逸脱するときの排水量が大きい砂ほど、高い排水能力を有することを示し、図７に示すように、砂Ａ、Ｃ、Ｄ、Ｆといった粒度分布の幅が小さい砂のほうが、排水能力が高いことが見出された。
【００３７】
図８は、Ｄ８５／Ｄ１５の値がほぼ同じとなる材料の平均粒径と、排水量との関係を示した図である。Ｄ８５は、図４に示す通過質量百分率で８５％となる砂の粒径（ｍｍ）であり、Ｄ１５は、図４に示す通過質量百分率で１５％となる砂の粒径（ｍｍ）である。Ｄ８５／Ｄ１５の値がほぼ同じとなる材料として、砂Ｂ、Ｄ、Ｆを選択した。図８の縦軸は、排水量（ｍＬ／ｈ）を示し、横軸は、平均粒径（ｍｍ）を示す。図８では、平均粒径が約０．２ｍｍ〜約０．３５ｍｍの場合の各排水量を示しているが、約０．２６ｍｍ〜約０．２７ｍｍのものが最も高い排水量を示した。なお、平均粒径が約０．２ｍｍ〜約０．３５ｍｍの範囲内であれば、毎時３００ミリリットル以上の排水量を得ることができた。
【００３８】
図９は、平均粒径をほぼ一定としたＤ８５／Ｄ１５の値と、排水量との関係を示した図である。ここでは、平均粒径がほぼ同じになるものの、Ｄ８５／Ｄ１５の値が異なる数種類の砂（砂Ｃ、Ｄ、Ｅ）を使用し、排水量を測定した結果を示す。図９の縦軸は、排水量（ｍＬ／ｈ）を示し、横軸は、Ｄ８５／Ｄ１５の値を示す。Ｄ８５／Ｄ１５の値が小さいほど、粒径分布の幅が小さいことを示す。図９に示すように、Ｄ８５／Ｄ１５の値が小さいほど、すなわち粒径が均一であるほど、排水量が多いことが見出された。
【００３９】
本発明の被覆材は、施工周辺の土を使用し、ふるい分けして、上記平均粒径で、上記粒径分布の範囲になるようにしたものを用いることができ、特定の地域の土を運搬および設置する必要がなく、運搬コストをなくすことができ、施工期間を短縮することができる。本発明の集排水システムは、上記被覆材を含んで構成されるため、高い排水能力を有し、安価で提供することができる。
【図面の簡単な説明】
【００４０】
【図１】処分場に本発明の被覆材を設置したところを示した図。
【図２】処分場に本発明の集排水システムを設置したところを示した図。
【図３】試験に使用した装置を示した図。
【図４】通過質量百分率と粒径との関係を示した図。
【図５】砂中の水のポテンシャルと含水率との関係を示した図。
【図６】飽和毛管高さと平均粒径との関係を示した図。
【図７】排水量と給水量との関係を示した図。
【図８】排水量と平均粒径との関係を示した図。
【図９】排水量とＤ８５／Ｄ１５の値との関係を示した図。
【符号の説明】
【００４１】
１…傾斜面
２…土留め壁
３…廃棄物層
４…被覆材
４ａ…礫層
４ｂ…砂層
１０…遮水シート
１１…保護土
１２…廃棄物層
１３…被覆材
１３ａ…礫層
１３ｂ…砂層
１３ｃ…不織布
１４…勾配
１５…最低部
１６…排水管
１７…法面
２０…装置
２１、２１ａ、２１ｂ…排水部
２２…第１収容部
２３…第２収容部
２４…分離板
２５…容器
２６…礫層
２７…砂層
２８…給水口
Ａ、Ｂ、Ｃ、Ｄ、Ｅ、Ｆ、Ｇ、Ｈ、Ｉ…砂
【図１】
0004737398.tif 000002
【図２】
0004737398.tif 000003
【図３】
0004737398.tif 000004
【図４】
0004737398.tif 000005
【図５】
0004737398.tif 000006
【図６】
0004737398.tif 000007
【図７】
0004737398.tif 000008
【図８】
0004737398.tif 000009
【図９】
0004737398.tif 000010